(57)【特許請求の範囲】
【請求項１】
建物の壁に取着される長尺の造作部材本体と、
当該造作部材本体の内部に収納されて電源の供給および情報信号の伝送に用いられる電線と、
前記造作部材本体の内部位置であって、造作部材本体における壁と反対側の表面に設けられた開口部に臨む位置に収納され、機能モジュールに対して電源の供給及び情報信号の授受を行うゲート装置とを備え、
ゲート装置の前面には、電力供給用の前記電線に電気的に接続される電力路接続口と、情報信号を伝送するための前記電線に電気的に接続される情報路接続口とが設けられ、
前記電力路接続口及び前記情報路接続口には機能モジュールの被接続部が着脱自在に接続されるとともに、前記電力路接続口及び前記情報路接続口は複数種類の機能モジュールが接続可能なように定形化され、前記ゲート装置に前記機能モジュールが取り付けられると、前記電力路接続口及び前記情報路接続口が前記機能モジュールの被接続部に接続されて、電源の供給と情報信号の授受とが同時に確立することを特徴とする配線付き造作部材。
【請求項２】
前記造作部材本体の長手方向両端部に、前記造作部材本体に収納された電線を、連設された他の造作部材本体に収納された電線に接続するためのコネクタがそれぞれ設けられ、複数の造作部材本体が入替可能な状態で連結されることを特徴とする請求項１記載の配線付き造作部材。
【請求項３】
前記電線が、電源供給のための電力線と、情報信号を伝送するための情報線とで構成されることを特徴とする請求項１又は２の何れかに記載の配線付き造作部材。
【請求項４】
前記電線が電源供給のための電力線からなり、前記電力線を介して電力線搬送により情報信号が伝送されることを特徴とする請求項１又は２の何れかに記載の配線付き造作部材。
【請求項５】
建物の壁に取着される長尺の造作部材本体と、当該造作部材本体の内部に収納されて電源の供給および情報信号の伝送に用いられる電線と、前記造作部材本体の内部位置であって、造作部材本体における壁と反対側の表面に設けられた開口部に臨む位置に収納され、機能モジュールに対して電源の供給及び情報信号の授受を行うゲート装置とを具備し、ゲート装置の前面に、電力供給用の前記電線に電気的に接続される電力路接続口と、情報信号を伝送するための前記電線に電気的に接続される情報路接続口とが設けられた配線付き造作部材と、
電力路接続口及び情報路接続口に着脱自在に接続される被接続部を具備し、ゲート装置を介して電源の供給及び情報信号の授受を行う機能モジュールとを備え、
ゲート装置の前記電力路接続口及び前記情報路接続口は、複数種類の機能モジュールが接続可能なように定形化され、
機能モジュールの被接続部は、電力路接続口及び情報路接続口に対応して定形化され、機能モジュールの背面部に具備され、
前記ゲート装置に前記機能モジュールが取り付けられると、前記電力路接続口及び前記情報路接続口が前記被接続部に接続されて、電源の供給と情報信号の授受とが同時に確立することを特徴とする配線システム。
【請求項６】
前記造作部材本体の長手方向両端部に、前記造作部材本体に収納された電線を、連設された他の造作部材本体に収納された電線に接続するためのコネクタがそれぞれ設けられ、複数の造作部材本体が入替可能な状態で連結されたことを特徴とする請求項５記載の配線システム。
【請求項７】
前記電線が、電源供給のための電力線と、情報信号を伝送するための情報線とで構成されることを特徴とする請求項５又は６の何れかに記載の配線システム。
【請求項８】
前記電線が電源供給のための電力線からなり、前記電力線を介して電力線搬送により情報信号が伝送されることを特徴とする請求項５又は６の何れかに記載の配線システム。
【発明の詳細な説明】
【技術分野】
【０００１】
本発明は、配線付き造作部材に関するものである。
【背景技術】
【０００２】
従来の屋内配線では、建物の壁の裏側に電気配線を先行配線しておき、壁の要所に設けたスイッチボックスまで電気配線を導入していた。そして、コンセントやスイッチなどの埋込型配線器具を配設する際には、スイッチボックスから引き出した電気配線を埋込型配線器具の端子部に接続した後、配線器具用に規格化された取付枠を用いて配線器具をスイッチボックスに埋込配設していた（例えば特許文献１参照）。
【特許文献１】特開２００１−３７０３７号公報（段落［０００２］、及び、第１３図）
【発明の開示】
【発明が解決しようとする課題】
【０００３】
上述した従来の屋内配線では、スイッチボックスの施工場所が予め決められており、埋込型の電源コンセントや情報コンセントなどの場所を自由に移動させることができなかった。そのため、電気機器を設置したい場所の近くに電源コンセントや情報コンセントが無い場合は、離れた場所にある電源コンセントや情報コンセントからテーブルタップやモジュラコードを用いて延長配線しなければならず、電源コードやモジュラコードを床に引き回すため、配線が見苦しく部屋の美観を損ねるという問題があった。
【０００４】
本発明は上記問題点に鑑みて為されたものであり、その目的とするところは、コンセントなどの配置を容易に変更できる配線付き造作部材を提供することにある。
【課題を解決するための手段】
【０００５】
上記目的を達成するために、請求項１の発明は、建物の壁に取着される長尺の造作部材本体と、当該造作部材本体の内部に収納されて電源の供給および情報信号の伝送に用いられる電線と、造作部材本体の内部位置であって、造作部材本体における壁と反対側の表面に設けられた開口部に臨む位置に収納され、機能モジュールに対して電源の供給及び情報信号の授受を行うゲート装置とを備え、ゲート装置の前面には、電力供給用の電線に電気的に接続される電力路接続口と、情報信号を伝送するための電線に電気的に接続される情報路接続口とが設けられ、電力路接続口及び情報路接続口には機能モジュールの被接続部が着脱自在に接続されるとともに、電力路接続口及び情報路接続口は複数種類の機能モジュールが接続可能なように定形化され、ゲート装置に機能モジュールが取り付けられると、電力路接続口及び情報路接続口が機能モジュールの被接続部に接続されて、電源の供給と情報信号の授受とが同時に確立することを特徴とする。
【０００６】
この発明によれば、造作部材本体の内部に電線が収納されるとともに、造作部材本体における壁と反対側の表面に設けられた開口部に臨んで、機能モジュールに対して電源の供給及び情報信号の授受を行うゲート装置が収納されているので、造作部材本体内に収納されたゲート装置に対して機能モジュールを取着することができる。また電気機器の設置場所の近くに造作部材本体を取着することで、電気機器の近くに電源コンセント部又は情報コンセント部を設けることが可能になり、電源コードやモジュラコードを長距離に亘って引き回さなくても済むので、部屋の美観を損なうことなく配線を行うことができる。
【０００７】
請求項２の発明は、請求項１の発明において、造作部材本体の長手方向両端部に、造作部材本体に収納された電線を、連設された他の造作部材本体に収納された電線に接続するためのコネクタがそれぞれ設けられ、複数の造作部材本体が入替可能な状態で連結されることを特徴とする。
【０００８】
この発明によれば、造作部材本体の長手方向両端部に、内部に収納した電線を他の造作部材本体に収納された電線に接続するためのコネクタが設けられているので、造作部材本体を長手方向に連設することで、電線の接続が行え、且つ、造作部材本体の接続位置を入れ替えることによって、機能装置部を所望の位置に配置することができる。
【０００９】
請求項３の発明は、請求項１又は２の発明において、電線が、電源供給のための電力線と、情報信号を伝送するための情報線とで構成されることを特徴とする。
【００１０】
この発明によれば、電力線と情報線とを用いて電力の供給と情報信号の伝送とを行うことができる。
【００１１】
請求項４の発明は、請求項１又は２の発明において、電線が電源供給のための電力線からなり、電力線を介して電力線搬送により情報信号が伝送されることを特徴とする。
【００１２】
この発明によれば、電力線で情報線を兼用しているので、電線の本数を減らして、配線施工を簡略化することができる。
【００１３】
請求項５の発明は、配線システムの発明であって、建物の壁に取着される長尺の造作部材本体と、当該造作部材本体の内部に収納されて電源の供給および情報信号の伝送に用いられる電線と、造作部材本体の内部位置であって、造作部材本体における壁と反対側の表面に設けられた開口部に臨む位置に収納され、機能モジュールに対して電源の供給及び情報信号の授受を行うゲート装置とを具備し、ゲート装置の前面に、電力供給用の電線に電気的に接続される電力路接続口と、情報信号を伝送するための電線に電気的に接続される情報路接続口とが設けられた配線付き造作部材と、電力路接続口及び情報路接続口に着脱自在に接続される被接続部を具備し、ゲート装置を介して電源の供給及び情報信号の授受を行う機能モジュールとを備え、ゲート装置の電力路接続口及び情報路接続口は、複数種類の機能モジュールが接続可能なように定形化され、機能モジュールの被接続部は、電力路接続口及び情報路接続口に対応して定形化され、機能モジュールの背面部に具備され、ゲート装置に機能モジュールが取り付けられると、電力路接続口及び情報路接続口が被接続部に接続されて、電源の供給と情報信号の授受とが同時に確立することを特徴とする。
【００１４】
この発明によれば、造作部材本体の内部に電線が収納されるとともに、造作部材本体における壁と反対側の表面に設けられた開口部に臨んで、機能モジュールに対して電源の供給及び情報信号の授受を行うゲート装置が収納されているので、造作部材本体内に収納されたゲート装置に対して機能モジュールを取着することができる。また電気機器の設置場所の近くに造作部材本体を取着することで、電気機器の近くに電源コンセント部又は情報コンセント部を設けることが可能になり、電源コードやモジュラコードを長距離に亘って引き回さなくても済むので、部屋の美観を損なうことなく配線を行うことができる。
【００１５】
請求項６の発明は、請求項５記載の発明において、造作部材本体の長手方向両端部に、造作部材本体に収納された電線を、連設された他の造作部材本体に収納された電線に接続するためのコネクタがそれぞれ設けられ、複数の造作部材本体が入替可能な状態で連結されたことを特徴とする。
【００１６】
この発明によれば、造作部材本体の長手方向両端部に、内部に収納した電線を他の造作部材本体に収納された電線に接続するためのコネクタが設けられているので、造作部材本体を長手方向に連設することで、電線の接続が行え、且つ、造作部材本体の接続位置を入れ替えることによって、機能装置部を所望の位置に配置することができる。
【００１７】
請求項７の発明は、請求項５又は６の発明において、電線が、電源供給のための電力線と、情報信号を伝送するための情報線とで構成されることを特徴とする。
【００１８】
この発明によれば、電力線と情報線とを用いて電力の供給と情報信号の伝送とを行うことができる。
【００１９】
請求項８の発明は、請求項５又は６の発明において、電線が電源供給のための電力線からなり、電力線を介して電力線搬送により情報信号が伝送されることを特徴とする。
【００２０】
この発明によれば、電力線で情報線を兼用しているので、電線の本数を減らして、配線施工を簡略化することができる。
【発明の効果】
【００２３】
本発明によれば、造作部材本体の内部に電線が収納されるとともに、造作部材本体における壁と反対側の表面に設けられた開口部に臨んで、機能モジュールに対して電源の供給及び情報信号の授受を行うゲート装置が収納されているので、造作部材本体内に収納されたゲート装置に対して機能モジュールを取着することができる。また、電気機器の設置場所の近くに造作部材本体を取着することで、電気機器の近くに電源コンセント部又は情報コンセント部を設けることが可能になり、電源コードやモジュラコードを長距離に亘って引き回さなくても済むので、部屋の美観を損なうことなく配線を行えるという効果がある。
【発明を実施するための最良の形態】
【００２４】
以下に本発明の実施の形態を図面に基づいて説明する。
【００２５】
（実施形態１）
本発明の実施形態１を図１〜図７に基づいて説明する。尚、以下の説明では、特に断りがないかぎり、図２（ａ）の向きにおいて上下左右の方向を規定し、図２（ａ）における正面を前面という。したがって、図２（ｂ）における右端は後端になる。
【００２６】
本実施形態の配線付き造作部材Ａの分解斜視図を図１に、正面図を図２（ａ）に、概略のブロック図を図３にそれぞれ示す。この造作部材Ａは、建物の壁に取着される幅木のような長尺の造作部材本体１を備え、この造作部材本体１の内部に電力線Ｌ１および情報線Ｌ２を長手方向に沿ってそれぞれ収納してある。そして、造作部材本体１の長手方向一端側には角筒状の嵌合凸部２Ａ，２Ｂを突設してあり、各嵌合凸部２Ａ，２Ｂの筒内には電力線Ｌ１および情報線Ｌ２にそれぞれ電気的に接続された接続端子４Ａ，５Ａを配置してある。また造作部材本体１の長手方向他端側には、別の造作部材本体１に設けた上記嵌合凸部２Ａ，２Ｂが凹凸嵌合する嵌合凹部３Ａ，３Ｂが設けられ、各嵌合凹部３Ａ，３Ｂの内部には電力線Ｌ１および情報線Ｌ２にそれぞれ電気的に接続されるとともに、嵌合凸部２Ａ，２Ｂの接続端子４Ａ，５Ａに接続される接続端子４Ｂ，５Ｂを配設してある。ここに、嵌合凸部２Ａ，２Ｂ及び嵌合凹部３Ａ，３Ｂの形状、寸法および内部に設けた接続端子４Ａ，４Ｂ，５Ａ，５Ｂの配列はシステムとして定形化（規格化）してあるので、複数本の造作部材本体１を長手方向に連結して使用することができ、また連結して使用されている複数本の造作部材本体１の順番を入れ替えることも可能である。
【００２７】
さらに、造作部材本体１の長手方向略中間部には横長の開口１ａ，１ｂが上下に並べて設けられ、各開口１ａ，１ｂの内部にはゲート装置Ｂを取り付けてある（図１及び図２（ａ）参照）。このゲート装置Ｂは、造作部材本体１内に収納された電線（電力線Ｌ１および情報線Ｌ２からなる）を後述の機能モジュールＣ１，Ｃ２に接続するためのもので、ゲート装置Ｂの前面（開口１ａ，１ｂに臨む面）には、電力線Ｌ１と電気的に接続されている接触部を備えた電力路接続口６Ａと、造作部材本体１内に収納された情報線Ｌ２と電気的に接続されている接触部を備えた情報路接続口６Ｂとが設けられている。ここに、ゲート装置Ｂと機能モジュールＣ１，Ｃ２とで本発明に係る機能装置部が構成される。
【００２８】
機能モジュールＣ１，Ｃ２の器体７は略直方体状であって、器体７の内部にはそれぞれ図５（ａ）（ｂ）に示す回路を内蔵してある。器体７の後部の左右方向寸法および上下方向寸法はそれぞれ造作部材本体１の開口１ａ，１ｂに比べて若干小さめに形成してある。また器体７の前端部の周縁からは、側方に向かって突出する鍔部８が一体に形成されている。また器体７の背面部には、ゲート装置Ｂの電力路接続口６Ａおよび情報路接続口６Ｂにそれぞれ対応して被接続部たるコネクタ部１０Ａ，１０Ｂを設けてある。なお、電源コンセントしか設けられていない機能モジュールＣ１では情報線Ｌ２の接続が不要なので、電力路接続口６Ａに接続されるコネクタ部１０Ａのみを設けてある。この器体７を造作部材本体１に取り付ける際には、器体７の後部を開口１ａ，１ｂ内に挿入して、ゲート装置Ｂの各接続口６Ａ，６Ｂにコネクタ部１０Ａ，１０Ｂを接続すると、鍔部８の背面が開口１ａ，１ｂの周縁部に当接するとともに、器体７の側面に設けた取付爪９が開口１ａ，１ｂの周縁部の後面と係合する。このとき、取付爪９と鍔部８との間に造作部材本体１の前面が挟持されるので、機能モジュールＣ１，Ｃ２の器体７を造作部材本体１に取り付けることができる。
【００２９】
なお各接続口６Ａ，６Ｂの形状、寸法および内部に設けた接触部の配列はシステムとして定形化（規格化）してあり、各接続口６Ａ，６Ｂに対応して機能モジュールＣ１，Ｃ２の背面部に設けたコネクタ部１０Ａ，１０Ｂもその形態を定形化してあるので、コネクタ部１０Ａ，１０Ｂを各接続口６Ａ，６Ｂに着脱自在に接続することによって、機能モジュールＣ１，Ｃ２をゲート装置Ｂ（造作部材本体１）に対して着脱自在に取着できるようになっている。
【００３０】
次に電源コンセント型の機能モジュールＣ１の回路構成を図５（ａ）により説明する。この機能モジュールＣ１は、ゲート装置Ｂの電力路接続口６Ａに接続されるコネクタ部１０Ａと、コネクタ部１０Ａを介して電力線Ｌ１に接続される電源コンセント部１１とを備え、電源コンセント部１１を介して外部負荷への電源供給が行えるようになっている。
【００３１】
またモジュラコンセント型の機能モジュールＣ２の回路構成を図５（ｂ）に基づいて説明する。この機能モジュールＣ２は、コネクタ部１０Ａを介して電力線Ｌ１に接続され、電力線Ｌ１を介して供給される商用電源を整流、平滑することにより、所定電圧値の直流電圧からなる内部回路の動作電源＋Ｖを得るＡＣ／ＤＣコンバータ部１２と、コネクタ部１０Ｂを介して接続される情報線Ｌ２を通じて情報信号を送受信する送受信部１３と、機能モジュールＣ２の種別に対応した機能を有する機能部１６と、送受信部１３が受信した情報信号を取り込んで機能部１６に対応したデータ信号を生成しＩ／Ｏインターフェース１５を通じて機能部１６に伝送する機能や、機能部１６から送られてくるデータ信号をＩ／Ｏインタフェース１５を通じて取り込み、送信先へ情報信号として送信させるための処理を行う演算処理部１４とを備えている。機能モジュールＣ２では機能部１６がモジュラコンセントの機能を有しており、情報線Ｌ２を通じて送られてくる情報信号からアナログの電話信号をメディアコンバートしてモジュラ接続口１７に出力するとともに、モジュラ接続口１７を介して入力される電話信号をメディアコンバートして得た情報信号を情報線Ｌ２に伝送するようになっている。ここで、情報線Ｌ２は複数種の機器に用いられる情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置Ｂを介して機能モジュールＣに複数種類の情報信号を伝達することができるから、機能モジュールＣに多種多様な機能を持つ機能モジュールを使用でき、多種多様な機能をもつシステムを実現することができる。
【００３２】
而して機能モジュールＣ１，Ｃ２の器体７を造作部材本体１の開口１ａ，１ｂに取着して、機能モジュールＣ１，Ｃ２のコネクタ部１０Ａ，１０Ｂをゲート装置Ｂの各接続口６Ａ，６Ｂに接続すれば、電源コンセント部１１を通じて負荷に商用電源を供給できるとともに、モジュラ接続口１７に電話機を接続して電話通信が行えるようになっている。尚、機能部１６の機能はモジュラコンセントの機能に限定される趣旨のものではなく、機能部１６がセンサ機能やスイッチ機能を有しているのであれば、センサの検知データやスイッチの操作データを情報信号として送信し、スピーカ機能であれば情報信号として送られてくる音声データを復調して機能部１６に設けたスピーカで再生させ、監視カメラ機能であれば画像データを圧縮符号化して情報信号として送信し、また機能部１６がカメラ画像のモニタ機能である場合には送られてくる画像データを伸張復号してモニタ装置で表示させれば良い。つまり、機能部１６の構成によって機能が異なる複数種類の機能モジュールＣが準備されることになる。また、造作部材Ａに電源コンセントや情報コンセントなどの機能モジュールＣ１，Ｃ２を設ける必要が無い場合は、造作部材本体１の開口１ａ，１ｂに目隠し蓋（図示せず）を取着して、ゲート装置Ｂを閉塞しても良く、この場合、造作部材Ａは電力線Ｌ１および情報線Ｌ２の延長用として機能する。また、図６に示すように上述の造作部材Ａにおいて、ゲート装置Ｂを無くすとともに、開口１ａ，１ｂを閉塞した形態の造作部材Ａ’を設けても良く、このような造作部材Ａ’を造作部材Ａに接続して使用することで、電力線Ｌ１および情報線Ｌ２を延長することができる。
【００３３】
次に、本実施形態の配線付き造作部材Ａを用いた配線システムについて図６及び図７に基づいて説明する。上述のように造作部材Ａ，Ａ’は、造作部材本体１の長手方向一端側に嵌合凸部２Ａ，２Ｂが設けられるとともに、長手方向他端側には嵌合凹部３Ａ，３Ｂが設けられているので、複数の造作部材Ａ，Ａ’を長手方向に並べて連結し、嵌合凸部２Ａ，２Ｂと嵌合凹部３Ａ，３Ｂとを凹凸嵌合させることによって、各々の造作部材Ａ，Ａ’にそれぞれ収納された電力線Ｌ１同士、情報線Ｌ２同士をそれぞれ電気的に接続することができる。そして、直列接続された複数の造作部材Ａ，Ａ’の内、一方の端にある造作部材Ａ’にコンセント接続モジュールＤを接続し、他方の端にある造作部材Ａに端末モジュールＦを接続する。また造作部材Ａ，Ａ間を連結モジュールＥを介して接続することによって、造作部材Ａ，Ａの連結方向を９０度変更することができ、コーナ部を挟んで互いに直交する２つの壁５０，５１に造作部材Ａ，Ａ’を配設することができる。
【００３４】
ここで、コンセント接続モジュールＤは、図７（ａ）に示すように造作部材本体１と上下方向寸法および厚み寸法が略同じ寸法に形成された器体１８を備えている。造作部材本体１と面接する器体１８の一側面には、造作部材本体１の嵌合凸部２Ａ，２Ｂと嵌合する嵌合凹部１９Ａ，１９Ｂが形成され、この嵌合凹部１９Ａ，１９Ｂの内部には、嵌合凸部２Ａ，２Ｂの接続端子４Ａ，５Ａに接続される接続端子２０，２１を配設してある。また器体１８の他方の側面からは接続端子２０，２１にそれぞれ電気的に接続された電源コード２２及びモジュラコード２４が導出され、各コード２２，２４の先端にはそれぞれ電源プラグ２３、モジュラコネクタ２５が接続されている。而して、造作部材本体１の一端側に設けた嵌合凸部２Ａ，２Ｂを嵌合凹部１９Ａ，１９Ｂと凹凸嵌合させることで、コンセント接続モジュールＤを造作部材Ａに接続し、造作部材本体１内に収納された電力線Ｌ１および情報線Ｌ２をそれぞれ電源コード２２およびモジュラコード２４に電気的に接続することができる。そして、コンセント接続モジュールＤの電源プラグ２３及びモジュラコネクタ２５を、壁５０に埋込配設された電源コンセント４１およびモジュラコンセント４２に接続することによって、壁５０，５１の裏側に先行配線された電力線および情報線に、造作部材Ａ内部の電力線Ｌ１および情報線Ｌ２を接続することができる。
【００３５】
また、連結モジュールＥは、図７（ｂ）に示すように平面視の形状が略Ｌ字形に形成された器体２６を備え、器体２６の内部には電力線Ｌ１および情報線Ｌ２を収納してある。一方の側片２６ａの先端面には、造作部材本体１の嵌合凹部３Ａ，３Ｂに凹凸嵌合する角筒状の嵌合凸部２７Ａ，２７Ｂが突設されており、各嵌合凸部２７Ａ，２７Ｂの筒内には、嵌合凹部３Ａ，３Ｂ内に配設された接続端子４Ｂ，５Ｂと電気的に接続される接続端子２８，２９が配設されている。また他方の側片２６ｂの先端面には、造作部材本体１の嵌合凸部２Ａ，２Ｂが凹凸嵌合する嵌合凹部３０Ａ，３０Ｂが形成されており、各嵌合凹部３０Ａ，３０Ｂの内部には、接続端子２８，２９に電力線Ｌ１および情報線Ｌ２を介して電気的に接続されるとともに、嵌合凸部２Ａ，２Ｂの接続端子４Ａ，５Ａに電気的に接続される接続端子３１，３２が配設されている。而して、壁５０に配設された造作部材Ａの嵌合凹部３Ａ，３Ｂに嵌合凸部２７Ａ，２７Ｂを接続するとともに、壁５１に配設された造作部材Ａの嵌合凸部２Ａ，２Ｂに嵌合凹部３０Ａ，３０Ｂを接続して、両造作部材Ａ，Ａ間を連結モジュールＥを介して連結すると、各造作部材Ａ，Ａに収納された電力線Ｌ１，Ｌ１間が連結モジュールＥの電力線Ｌ１を介して電気的に接続されるとともに、各造作部材Ａ，Ａに収納された情報線Ｌ２，Ｌ２間が連結モジュールＥの情報線Ｌ２を介して電気的に接続されるのである。
【００３６】
また更に、端末モジュールＦは、図７（ｃ）に示すように造作部材本体１と上下方向寸法および厚み寸法が略同じ寸法に形成された器体３３を備え、造作部材本体１と面接する器体３３の一側面には、造作部材本体１の嵌合凹部３Ａ，３Ｂと嵌合する嵌合凸部３４Ａ，３４Ｂが形成されている。而して、造作部材本体１の嵌合凹部３Ａ，３Ｂに端末モジュールＦの嵌合凸部３４Ａ，３４Ｂを凹凸嵌合させることで、造作部材Ａに対して端末モジュールＦを接続することができ、造作部材Ａの嵌合凹部３Ａ，３Ｂを塞いで、嵌合凹部３Ａ，３Ｂ内の接続端子４Ｂ，５Ｂにゴミや埃などが付着するのを防止することができる。
【００３７】
以上説明したように複数の造作部材Ａを互いに直列に連結された状態で壁５０，５１に配設し、一方の端にある造作部材Ａ’にコンセント接続モジュールＤを接続して、造作部材Ａ内に収納された電力線Ｌ１および情報線Ｌ２を壁内に先行配線された電力線および情報線に電気的に接続することができるから、壁５０，５１の所望の位置に機能モジュールＣ１，Ｃ２を設けることができる。したがって、電気機器の設置位置に合わせて電気機器の近傍に造作部材Ａを設置すれば、電源コンセントやモジュラコンセントなどの機能モジュールＣ１，Ｃ２を電気機器の近くに設けることができ、電源コンセントやモジュラコンセントと電気機器との間の配線が短距離で済むから、配線を纏まり良く施工でき、配線が邪魔になったり、室内の美観を損なうことがない。また造作部材本体１を、壁５０，５１と床５２との境界部に取着される幅木で構成しているので、壁５０，５１の下部に電源コンセントや情報コンセントなどの機能モジュールＣ１，Ｃ２を配置することができる。また各造作部材Ａ，Ａ’は、長手方向の一端側に嵌合凸部２Ａ，２Ｂを形成して、各嵌合凸部２Ａ，２Ｂに接続端子４Ａ，５Ａを配設するとともに、他端側に嵌合凹部３Ａ，３Ｂを形成して、各嵌合凹部３Ａ，３Ｂ内に接続端子４Ｂ，５Ｂを形成してあり、接続端子４Ａ，４Ｂからなる電力用コネクタと、接続端子５Ａ，５Ｂからなる情報用コネクタとを造作部材Ａの長手方向両端部に設けているので、複数の造作部材Ａ，Ａ’を連結する順番を容易に入れ替えることができ、レイアウト変更などによって機能モジュールＣ１，Ｃ２の位置を変更したい場合にも造作部材Ａ，Ａ’の接続位置を入れ替えることで、機能装置部（機能モジュールＣ１，Ｃ２）を所望の位置に配置することができる。またゲート装置Ｂに接続する機能モジュールＣ１，Ｃ２を交換することで、所望の機能を有する機能モジュールを使用することができ、機能の追加や拡張にも容易に対応できる。
【００３８】
ところで、上述の実施形態では造作部材本体１を幅木で構成しているが、造作部材本体１を幅木に限定する趣旨のものではなく、例えば図６に示すように壁５０，５１の上下方向中間部に取着される腰見切縁で造作部材本体１’を構成しても良く、造作部材本体１を幅木で構成した場合に比べて、電源コンセントや情報コンセントなどの機能モジュールＣ１，Ｃ２を高い位置に配置することができるから、比較的高い位置に配置される電気機器への配線を短距離で施工することができる。尚、造作部材本体１’を腰見切縁で構成した点以外は上述の造作部材Ａと同様の構成を有しているので、詳細な説明は省略する。
【００３９】
（実施形態２）
本発明の実施形態２を図８〜図１１に基づいて説明する。上述の実施形態１では、造作部材本体１，１’の内部に、電力線Ｌ１と情報線Ｌ２との２本の電線を収納してあるが、本実施形態では造作部材本体１，１’に電力線Ｌ１のみを収納し、電力線Ｌ１を通じて電力線搬送により情報信号を伝送しており、電力線Ｌ１で情報線Ｌ２を兼用することにより、電線の本数を減らして配線施工を簡略化することができる。尚、電力線搬送により情報信号を伝送する点以外は実施形態１と同様であるので、共通する構成要素には同一の符号を付して、その説明は省略する。
【００４０】
図８は配線付き造作部材Ａの分解斜視図であり、造作部材本体１の内部には電力線Ｌ１のみが長手方向に沿って収納してある。そして、造作部材本体１の長手方向一端側には角筒状の嵌合凸部２Ａを突設し、嵌合凸部２Ａの筒内に電力線Ｌ１にそれぞれ電気的に接続された接続端子４Ａを配置してある（図９参照）。また造作部材本体１の長手方向他端側には、別の造作部材本体１に設けた上記嵌合凸部２Ａが凹凸嵌合する嵌合凹部３Ａが設けられ、嵌合凹部３Ａの内部には電力線Ｌ１にそれぞれ電気的に接続されるとともに、嵌合凸部２Ａの接続端子４Ａに接続される接続端子４Ｂを配設してある。ここに、嵌合凸部２Ａ及び嵌合凹部３Ａの形状、寸法および内部に設けた接続端子４Ａ，４Ｂの配列はシステムとして定形化（規格化）してあるので、複数本の造作部材本体１を長手方向に連結して使用することができ、また連結して使用されている複数本の造作部材本体１の順番を入れ替えることも可能である。
【００４１】
さらに、造作部材本体１の長手方向略中間部には横長の開口１ａ，１ｂが上下に並べて設けられ、各開口１ａ，１ｂの内部にはゲート装置Ｂを取り付けてある。このゲート装置Ｂは、造作部材本体１内に収納された電線（電力線Ｌ１）を後述の機能モジュールＣ１，Ｃ２に接続するためのもので、ゲート装置Ｂの前面（開口１ａ，１ｂに臨む面）には、電力線Ｌ１と電気的に接続されている接触部を備えた電力路接続口６Ａが設けられている。ここに、ゲート装置Ｂと機能モジュールＣ１，Ｃ２とで本発明に係る機能装置部が構成される。
【００４２】
機能モジュールＣ１，Ｃ２の器体７は略直方体状であって、器体７の内部にはそれぞれ図１０に示す回路を内蔵してある。また器体７の背面部には、ゲート装置Ｂの電力路接続口６Ａに対応して被接続部たるコネクタ部１０Ａを設けてある。この器体７を造作部材本体１に取り付ける際には、器体７の後部を開口１ａ，１ｂ内に挿入して、ゲート装置Ｂの接続口６Ａにコネクタ部１０Ａを接続すると、鍔部８の背面が開口１ａ，１ｂの周縁部に当接するとともに、器体７の側面に設けた取付爪９が開口１ａ，１ｂの周縁部の後面と係合する。このとき、取付爪９と鍔部８との間に造作部材本体１の前面が挟持されるので、機能モジュールＣ１，Ｃ２の器体７を造作部材本体１に取り付けることができる。
【００４３】
なお接続口６Ａの形状、寸法および内部に設けた接触部の配列はシステムとして定形化（規格化）してあり、接続口６Ａに対応して機能モジュールＣ１，Ｃ２の背面部に設けたコネクタ部１０Ａもその形態を定形化してあるので、コネクタ部１０Ａを接続口６Ａに着脱自在に接続することによって、機能モジュールＣ１，Ｃ２をゲート装置Ｂ（造作部材本体１）に対して着脱自在に取着できるようになっている。
【００４４】
次にモジュラコンセント型の機能モジュールＣ２の回路構成を図１０に基づいて説明する。この機能モジュールＣ２は、コネクタ部１０Ａを介して電力線Ｌ１に接続され、電力線Ｌ１を介して供給される商用電源を整流、平滑することにより、所定電圧値の直流電圧からなる内部回路の動作電源＋Ｖを得るＡＣ／ＤＣコンバータ部１２と、コネクタ部１０Ａを介して電力線Ｌ１に接続され、電力線Ｌ１を通じて電力線搬送により情報信号を授受するＰＬＣモデム（電力線搬送通信手段）１７と、ＰＬＣモデム１７と演算処理部１４との間で情報信号の受け渡しを行う送受信部１３と、機能モジュールＣ２の種別に対応した機能を有する機能部１６と、送受信部１３が受信した情報信号を取り込んで機能部１６に対応したデータ信号を生成しＩ／Ｏインターフェース１５を通じて機能部１６に伝送する機能や、機能部１６から送られてくるデータ信号をＩ／Ｏインタフェース１５を通じて取り込み、送信先へ情報信号として送信させるための処理を行う演算処理部１４とを備えている。このように本実施形態では、機能装置部に電力線搬送通信手段を設けているので、造作部材本体１の内部に電力線Ｌ１のみを収納すれば良く、電力線Ｌ１が情報線Ｌ２を兼用しているので、電線の数を減らして配線施工を簡略化することができる。
【００４５】
図１１は本実施形態の使用例であり、実施形態１と同様に複数の造作部材本体１，１’を連結して使用することで、所望の位置に機能モジュールＣ１…を配置でき、また連結モジュールＥを用いることで、部屋の全周に亘って造作部材本体１，１’を施工することもできる。なお本実施形態では情報線Ｌ２を無くしているので、コンセント接続モジュールＤには電源プラグ２３のみが設けられており、この電源プラグ２３を電源コンセント４１に接続することで、造作部材本体１，１’に収納された電力線Ｌ１を商用電源に接続している。
【００４６】
尚、ＰＬＣモデム１７で採用する電力線搬送の変調方式としては広帯域スペクトラム拡散方式、マルチキャリア方式、ＯＦＤＭ方式等各種方式の何れでも良いので、ここでは特に説明はしない。
【図面の簡単な説明】
【００４７】
【図１】実施形態１の配線付き造形部材の分解斜視図である。
【図２】同上に機能装置部を取着する前の状態を示し、（ａ）は正面図、（ｂ）は右側面図である。
【図３】同上に機能装置部を取着した状態の正面図である。
【図４】同上の一部省略せるブロック図である。
【図５】（ａ）（ｂ）は同上に用いる機能装置部のブロック図である。
【図６】同上の施工状態の説明図である。
【図７】（ａ）は同上に用いるコンセント接続モジュールの外観図、（ｂ）は同上に用いる連結モジュールの外観斜視図、（ｃ）は同上に用いる端末モジュールの外観斜視図である。
【図８】実施形態２の配線付き造形部材の分解斜視図である。
【図９】同上の一部省略せるブロック図である。
【図１０】同上に用いる機能モジュールのブロック図である。
【図１１】同上の施工状態の説明図である。
【符号の説明】
【００４８】
Ａ  造作部材
Ｂ  ゲート装置部
Ｃ１，Ｃ２  機能装置部
Ｌ１  電力線
Ｌ２  情報線
１  造作部材本体
２Ａ，２Ｂ  嵌合凸部
３Ａ，３Ｂ  嵌合凹部
６Ａ  電力路接続口
６Ｂ  情報路接続口
【図１】
0004760332.tif 000002
【図２】
0004760332.tif 000003
【図３】
0004760332.tif 000004
【図４】
0004760332.tif 000005
【図５】
0004760332.tif 000006
【図６】
0004760332.tif 000007
【図７】
0004760332.tif 000008
【図８】
0004760332.tif 000009
【図９】
0004760332.tif 000010
【図１０】
0004760332.tif 000011
【図１１】
0004760332.tif 000012